(57)【特許請求の範囲】
【請求項１】
時間周波数リソースの伝送方向を構成するための方法であって、
端末デバイスによって、第1のアクセスネットワークデバイスから第1のタイプの物理ダウンリンク制御チャネル(PDCCH)を受信するステップであって、前記第1のタイプのPDCCHは、第1のダウンリンク制御情報(DCI)を含み、前記第1のDCIは、少なくとも1つの情報ブロックを含む、ステップと、
前記端末デバイスによって、上位レイヤ構成シグナリングを受信するステップであって、前記上位レイヤ構成シグナリングは、前記第1のDCIにおける前記各情報ブロックの開始リソース位置のパラメータを含む、ステップと、
前記端末デバイスによって、前記開始リソース位置の前記パラメータに基づいて前記各情報ブロックを取得するステップと、
前記端末デバイスによって、前記各情報ブロックに基づいて少なくとも一つのリソースユニットにおいてデータ伝送を行うステップと、を含み、
前記少なくとも1つの情報ブロックの前記各情報ブロックは、少なくとも1つのリソースユニットの伝送方向の構成情報に対応し、前記少なくとも1つのリソースユニットの各々は、周波数領域ユニット、時間領域ユニット、または空間領域ユニットのうちの少なくとも1つを含む、
方法。
【請求項２】
前記端末デバイスによって、前記構成情報の実効時間に関する情報を受信するステップ
をさらに含む、請求項1に記載の方法。
【請求項３】
前記構成情報の実効時間に関する前記情報は、前記上位レイヤ構成シグナリングによって搬送される、請求項2に記載の方法。
【請求項４】
前記構成情報の実効時間に関する前記情報は、以下の情報、すなわち、効果開始時点および実効持続時間のうちの少なくとも1つを含む、請求項2または3に記載の方法。
【請求項５】
前記周波数領域ユニットは、周波数帯域、サブバンド、およびキャリアのうちの少なくとも1つを含み、前記時間領域ユニットは、スーパーフレーム、フレーム、スロット、サブフレーム、ミニサブフレーム、ミニスロット、OFDMシンボル、および1つのOFDMシンボルよりも短い時間単位のうちの少なくとも1つを含み、前記空間領域ユニットは、ビームおよびアンテナポートのうちの少なくとも1つを含み、前記ミニサブフレームは前記サブフレームよりも短く、前記ミニスロットは前記スロットよりも短い、請求項1または2に記載の方法。
【請求項６】
前記第1のDCIは、第1の無線ネットワーク一時識別子(RNTI)を使用することによってスクランブルされる、請求項1または2に記載の方法。
【請求項７】
前記第1のタイプのPDCCHはグループ共通PDCCHである、請求項1から6のいずれか一項に記載の方法。
【請求項８】
前記少なくとも1つのリソースユニットの前記伝送方向の前記構成情報は、連続的な時間期間内における前記伝送方向の構成情報を示し、前記連続的な時間期間は、複数の時間領域ユニットを含む、請求項1から7のいずれか一項に記載の方法。
【請求項９】
前記伝送方向はダウンリンク方向またはアップリンク方向を含む、請求項1から8のいずれか一項に記載の方法。
【請求項１０】
端末デバイスであって、
プロセッサと、
前記少なくとも1つのプロセッサに結合され、命令を記憶するよう構成されたメモリとを備え、
前記命令は、前記少なくとも1つのプロセッサによって実行されたとき、前記端末デバイスに、
第1のアクセスネットワークデバイスから第1のタイプの物理ダウンリンク制御チャネル(PDCCH)を受信することであって、前記第1のタイプのPDCCHは、第1のダウンリンク制御情報(DCI)を含み、前記第1のDCIは、少なくとも1つの情報ブロックを含む、受信することと、
上位レイヤ構成シグナリングを受信することであって、前記上位レイヤ構成シグナリングは、前記第1のDCIにおける前記各情報ブロックの開始リソース位置のパラメータを含む、受信することと、
前記開始リソース位置の前記パラメータに基づいて前記各情報ブロックを取得することと、
前記各情報ブロックに基づいて少なくとも一つのリソースユニットにおいてデータ伝送を行うこととを行わせ、
前記少なくとも1つの情報ブロックの前記各情報ブロックは、少なくとも1つのリソースユニットの伝送方向の構成情報に対応し、前記少なくとも1つのリソースユニットの各々は、周波数領域ユニット、時間領域ユニット、または空間領域ユニットのうちの少なくとも1つを含む、
端末デバイス。
【請求項１１】
前記時間領域ユニットは、スロット、サブフレーム、またはOFDMシンボルのうちの少なくとも1つを含む、請求項10に記載の端末デバイス。
【請求項１２】
前記メモリは、前記少なくとも1つのプロセッサによって実行されたとき、前記端末デバイスに、
前記構成情報の実効時間に関する情報を受信させる命令を記憶するようさらに構成される、
請求項10または11に記載の端末デバイス。
【請求項１３】
前記構成情報の実効時間に関する前記情報は、前記上位レイヤ構成シグナリングによって搬送される、請求項12に記載の端末デバイス。
【請求項１４】
前記少なくとも1つのリソースユニットの前記伝送方向の前記構成情報は、連続的な時間期間内における前記伝送方向の構成情報を示し、前記連続的な時間期間は、複数の時間領域ユニットを含む、請求項10から13のいずれか一項に記載の端末デバイス。
【請求項１５】
通信装置であって、
請求項1から9のいずれか一項に記載の方法を前記装置に実施させるために、メモリからコンピュータプログラムを呼び出し、前記コンピュータプログラムを実行するよう構成された少なくとも1つのプロセッサを備える、
通信装置。
【請求項１６】
プログラムを記録したコンピュータ可読記憶媒体であって、前記プログラムは、請求項1から9のいずれか一項に記載の方法を装置に実行させる、コンピュータ可読記憶媒体。
【発明の詳細な説明】
【技術分野】
【０００１】
本出願は、通信技術に関し、詳細には、時間周波数リソースの伝送方向を構成するための方法、および装置に関する。
【背景技術】
【０００２】
通信システムにおいてアップリンクサービスとダウンリンクサービスとの間の非対称性が大きくなり、ダウンリンクサービスに対するアップリンクサービスの比は時間とともに変化し続けるため、固定の対スペクトルを使用するための既存の方法、ならびに固定のアップリンクおよびダウンリンクスロット割当てを使用するための既存の方法は、もはやサービスの動的な非対称性特徴を効果的にサポートすることができない。フレキシブルな複信では、全サービス量の増大および非対称性特徴が十分に考慮に入れられ、アップリンクおよびダウンリンクリソースは、アップリンクサービスおよびダウンリンクサービスの分布に基づいて適応的に割り当てられることができ、それによって、将来のネットワーク要件を満たすようシステムリソース利用を効果的に改善する。
【０００３】
フレキシブル周波数帯域技術では、周波数分割複信(Frequency Division Duplex、略してFDD)システムにおける一部の周波数帯域が、フレキシブルな周波数帯域として構成される。実際の適用例では、ネットワークにおけるアップリンクサービスおよびダウンリンクサービスの分布に基づいて、アップリンク伝送またはダウンリンク伝送に対してフレキシブルな周波数帯域が割り当てられ、その結果、アップリンクおよびダウンリンクスペクトルリソースはアップリンクおよびダウンリンクサービス要件に整合し、それによって、スペクトル利用を改善する。たとえば、ネットワークにおいてダウンリンクサービス量がアップリンクサービス量よりも大きいとき、当初はアップリンク伝送のために使用された周波数帯域が、ネットワークにおけるダウンリンク伝送のために使用される周波数帯域として構成されうる。フレキシブル複信技術では、時分割複信(Time Division Duplex、略してTDD)は、アップリンクおよびダウンリンクサービスを伝送するために、周波数帯域上で使用され得る。ロングタームエボリューション(Long Term Evolution、略してLTE)システムでは、TDDのアップリンクおよびダウンリンク構成において合計7つの異なるサブフレーム構成モードがある。各構成モードは、1つのサイクルの中に含まれる10個のサブフレームの各々の伝送方向がアップリンクであるのかそれともダウンリンクであるのか、またはサブフレームが特殊サブフレームであるかどうかを表すために使用される。既存のモバイル通信ネットワークでは、基地局は、長期的に収集されたサービス要件などのファクタに基づいて7つの構成モードのうちの1つを選択し、静的構成または半静的構成を通じて構成モードを端末デバイスまたは他の基地局に通知する。このようにして、端末デバイスは、構成モードにおいて指定されたアップリンク伝送方向およびダウンリンク伝送方向に基づいて基地局とのデータを伝送し、それによって、他の基地局は、構成モードに基づいて、干渉処理、スケジューリング制御、または他の構成動作を行うことができる。
【０００４】
通信システムが発展するにつれて、セル半径はますます小さくなり、比較的少数の端末デバイスが各基地局に接続され、セルにおけるサービスは比較的大きく変動する。したがって、より動的なサービス変化に適合するよう、リソース伝送方向は、情報を伝送するためによりフレキシブルに構成される必要がある。しかしながら、従来技術では、リソース伝送方向は、上記のいくつかの限定された構成モードのうちの1つを選択することによって構成することしかできない。したがって、動的に変化するサービス要件が満たされることはできない。
【発明の概要】
【課題を解決するための手段】
【０００５】
本出願は、時間周波数リソースの伝送方向を構成するための方法、および装置を提供し、それによって、時間周波数空間リソースの伝送方向の構成はよりフレキシブルになり、動的に変化するサービス要件が満たされ得る。
【０００６】
本出願の第1の態様は、端末デバイスによって、第1のアクセスネットワークデバイスによって送信される第1の構成情報を受信することと、第1の構成情報に基づいてデータを伝送することとを含む、時間周波数リソースの伝送方向を構成するための方法を提供し、ここで、第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む。
【０００７】
可能な一実装形態では、方法は、端末デバイスによって、第2のアクセスネットワークデバイスによって送信される第2の構成情報を受信することをさらに含み、ここで、第2の構成情報は、少なくとも1つのリソースユニットの中に第2のアクセスネットワークデバイスの伝送方向の構成情報を含み、少なくとも1つのリソースユニットは、周波数領域ユニット、時間領域ユニット、および空間領域ユニットのうちの少なくとも1つを含む。
【０００８】
可能な一実装形態では、第1の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【０００９】
可能な一実装形態では、第2の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００１０】
可能な一実装形態では、方法は、端末デバイスによって、タイプ1 PDCCHのものであり第1のアクセスネットワークデバイスによって送信されるアクティブ化指示情報を受信することをさらに含む。
【００１１】
可能な一実装形態では、方法は、端末デバイスによって、タイプ1 PDCCHのものであり第2のアクセスネットワークデバイスによって送信されるアクティブ化指示情報を受信することをさらに含む。
【００１２】
可能な一実装形態では、端末デバイスは、第1の構成情報の実効時間情報および/または第2の構成情報の実効時間情報をさらに受信する。
【００１３】
可能な一実装形態では、タイプ1 PDCCHは、第1のDCIを含み、第1のDCIは、少なくとも1つのリソースユニットの伝送方向の構成情報、および/または構成情報の実効時間情報を含む。
【００１４】
可能な一実装形態では、タイプ1 PDCCHは、第1のDCIを含み、第1のDCIは、少なくとも1つのリソースユニットの伝送方向の構成情報、および/または構成情報の実効時間情報を含む。
【００１５】
可能な一実装形態では、第1のDCIは、少なくとも1つの情報ブロックを含み、各情報ブロックは、少なくとも1つのリソースユニットの伝送方向の構成情報、および/または構成情報の実効時間を含む。
【００１６】
可能な一実装形態では、方法は、端末デバイスによって、ネットワークデバイスによって送信される上位レイヤ構成シグナリングを受信することであって、ここで、上位レイヤ構成情報は、各情報ブロックの開始リソース位置のパラメータを含む、受信することと、各情報ブロックの開始リソース位置に基づいて、タイプ1 PDCCHから各情報ブロックを読み取ることとをさらに含む。
【００１７】
可能な一実装形態では、方法は、端末デバイスによって、第1の構成情報に対する送信リソース情報を受信すること、および/または第2の構成情報に対する送信リソース情報を受信することをさらに含み、ここで、第1の構成情報に対する送信リソース情報によって示される第1の送信リソースは、第2の構成情報に対する送信リソース情報によって示される第2の送信リソースに直交する。
【００１８】
本出願の第2の態様は、第1の構成情報を第1のアクセスネットワークデバイスによって送信することを含む、時間周波数リソースの伝送方向を構成するための方法を提供し、ここで、第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む。
【００１９】
可能な一実装形態では、方法は、第2のアクセスネットワークデバイスによって送信される第2の構成情報を第1のアクセスネットワークデバイスによって受信することをさらに含み、ここで、第2の構成情報は、少なくとも1つのリソースユニットの中に第2のアクセスネットワークデバイスの伝送方向の構成情報を含み、少なくとも1つのリソースユニットは、周波数領域ユニット、時間領域ユニット、および空間領域ユニットのうちの少なくとも1つを含む。
【００２０】
可能な一実装形態では、第1の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００２１】
可能な一実装形態では、第2の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００２２】
可能な一実装形態では、方法は、第1の構成情報を送信するために使用される第1の送信リソースおよび第2の構成情報を送信するために使用される第2の送信リソースを決定するために、第1のアクセスネットワークデバイスによって第2のアクセスネットワークデバイスと折衝することをさらに含み、ここで、第1の送信リソースは第2の送信リソースに直交する。
【００２３】
本出願の第3の態様は、
第1のアクセスネットワークデバイスによって送信される第1の構成情報を受信するように構成された受信モジュールであって、ここで、第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む、受信モジュールと、
第1の構成情報に基づいてデータを伝送するように構成された伝送モジュールとを含む、
端末デバイスを提供する。
【００２４】
可能な一実装形態では、受信モジュールは、第2のアクセスネットワークデバイスによって送信される第2の構成情報を受信するようにさらに構成され、ここで、第2の構成情報は、少なくとも1つのリソースユニットの中に第2のアクセスネットワークデバイスの伝送方向の構成情報を含み、少なくとも1つのリソースユニットは、周波数領域ユニット、時間領域ユニット、および空間領域ユニットのうちの少なくとも1つを含む。
【００２５】
可能な一実装形態では、第1の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００２６】
可能な一実装形態では、第2の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００２７】
可能な一実装形態では、受信モジュールは、タイプ1 PDCCHのものであり第1のアクセスネットワークデバイスによって送信されるアクティブ化指示情報を受信するようにさらに構成される。
【００２８】
可能な一実装形態では、受信モジュールは、タイプ1 PDCCHのものであり第2のアクセスネットワークデバイスによって送信されるアクティブ化指示情報を受信するようにさらに構成される。
【００２９】
可能な一実装形態では、タイプ1 PDCCHは、第1のDCIを含み、第1のDCIは、少なくとも1つのリソースユニットの伝送方向の構成情報、および/または構成情報の実効時間情報を含む。
【００３０】
可能な一実装形態では、タイプ1 PDCCHは、第1のDCIを含み、第1のDCIは、少なくとも1つのリソースユニットの伝送方向の構成情報、および/または構成情報の実効時間情報を含む。
【００３１】
可能な一実装形態では、第1のDCIは、少なくとも1つの情報ブロックを含み、各情報ブロックは、少なくとも1つのリソースユニットの伝送方向の構成情報、および/または構成情報の実効時間を含む。
【００３２】
可能な一実装形態では、受信モジュールは、ネットワークデバイスによって送信される上位レイヤ構成シグナリングを受信することであって、ここで、上位レイヤ構成情報は、各情報ブロックの開始リソース位置のパラメータを含む、受信することと、各情報ブロックの開始リソース位置に基づいて、タイプ1 PDCCHから各情報ブロックを読み取ることとを行うようにさらに構成される。
【００３３】
可能な一実装形態では、受信モジュールは、第1の構成情報の実効時間情報および/または第2の構成情報の実効時間情報を受信するようにさらに構成される。
【００３４】
可能な一実装形態では、受信モジュールは、
第1の構成情報に対する送信リソース情報を受信しかつ/または第2の構成情報に対する送信リソース情報を受信するようにさらに構成され、ここで、第1の構成情報に対する送信リソース情報によって示される第1の送信リソースは、第2の構成情報に対する送信リソース情報によって示される第2の送信リソースに直交する。
【００３５】
本出願の第4の態様は、
第1の構成情報を送信するように構成された送信モジュールを含む、第1のアクセスネットワークデバイスを提供し、ここで、第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む。
【００３６】
可能な一実装形態では、第1のアクセスネットワークデバイスは、第2のアクセスネットワークデバイスによって送信される第2の構成情報を受信するように構成された受信モジュールをさらに含み、ここで、第2の構成情報は、少なくとも1つのリソースユニットの中に第2のアクセスネットワークデバイスの伝送方向の構成情報を含み、少なくとも1つのリソースユニットは、周波数領域ユニット、時間領域ユニット、および空間領域ユニットのうちの少なくとも1つを含む。
【００３７】
可能な一実装形態では、第1のアクセスネットワークデバイスは、第1の構成情報を送信するために使用される第1の送信リソースおよび第2の構成情報を送信するために使用される第2の送信リソースを決定するために、第2のアクセスネットワークデバイスと折衝するように構成された決定モジュールをさらに含み、ここで、第1の送信リソースは第2の送信リソースに直交する。
【００３８】
可能な一実装形態では、第1の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００３９】
可能な一実装形態では、第2の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００４０】
本出願の第5の態様は、プロセッサ、メモリ、およびトランシーバを含む、端末デバイスを提供する。メモリは、命令を記憶するように構成される。トランシーバは、他のデバイスと通信するように構成される。プロセッサは、以下の方法、すなわち、
第1のアクセスネットワークデバイスによって送信される第1の構成情報を受信することであって、ここで、第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む、受信することと、
第1の構成情報に基づいてデータを伝送することと
を行うための、メモリの中に記憶された命令を実行するように構成される。
【００４１】
可能な一実装形態では、プロセッサは、
第2のアクセスネットワークデバイスによって送信される第2の構成情報を受信するようにさらに構成され、ここで、第2の構成情報は、少なくとも1つのリソースユニットの中に第2のアクセスネットワークデバイスの伝送方向の構成情報を含み、少なくとも1つのリソースユニットは、周波数領域ユニット、時間領域ユニット、および空間領域ユニットのうちの少なくとも1つを含む。
【００４２】
可能な一実装形態では、第1の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００４３】
可能な一実装形態では、第2の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００４４】
可能な一実装形態では、プロセッサは、タイプ1 PDCCHのものであり第1のアクセスネットワークデバイスによって送信されるアクティブ化指示情報を受信するようにさらに構成される。
【００４５】
可能な一実装形態では、プロセッサは、タイプ1 PDCCHのものであり第2のアクセスネットワークデバイスによって送信されるアクティブ化指示情報を受信するようにさらに構成される。
【００４６】
可能な一実装形態では、タイプ1 PDCCHは、第1のDCIを含み、第1のDCIは、少なくとも1つのリソースユニットの伝送方向の構成情報、および/または構成情報の実効時間情報を含む。
【００４７】
可能な一実装形態では、第1のDCIは、少なくとも1つの情報ブロックを含み、各情報ブロックは、少なくとも1つのリソースユニットの伝送方向の構成情報、および/または構成情報の実効時間を含む。
【００４８】
可能な一実装形態では、プロセッサは、ネットワークデバイスによって送信される上位レイヤ構成シグナリングを受信することであって、ここで、上位レイヤ構成情報は、各情報ブロックの開始リソース位置のパラメータを含む、受信することと、各情報ブロックの開始リソース位置に基づいて、タイプ1 PDCCHから各情報ブロックを読み取ることとを行うようにさらに構成される。
【００４９】
可能な一実装形態では、プロセッサは、第1の構成情報の実効時間情報および/または第2の構成情報の実効時間情報を受信するようにさらに構成される。
【００５０】
可能な一実装形態では、プロセッサは、第1の構成情報に対する送信リソース情報を受信しかつ/または第2の構成情報に対する送信リソース情報を受信するようにさらに構成され、ここで、第1の構成情報に対する送信リソース情報によって示される第1の送信リソースは、第2の構成情報に対する送信リソース情報によって示される第2の送信リソースに直交する。
【００５１】
本出願の第6の態様は、プロセッサ、メモリ、およびトランシーバを含む、アクセスネットワークデバイスを提供する。メモリは、命令を記憶するように構成される。トランシーバは、他のデバイスと通信するように構成される。プロセッサは、以下の方法、すなわち、第1の構成情報を送信することを行うための、メモリの中に記憶された命令を実行するように構成され、ここで、第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む。
【００５２】
可能な一実装形態では、プロセッサは、第2のアクセスネットワークデバイスによって送信される第2の構成情報を受信するようにさらに構成され、ここで、第2の構成情報は、少なくとも1つのリソースユニットの中に第2のアクセスネットワークデバイスの伝送方向の構成情報を含み、少なくとも1つのリソースユニットは、周波数領域ユニット、時間領域ユニット、および空間領域ユニットのうちの少なくとも1つを含む。
【００５３】
可能な一実装形態では、第1の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００５４】
可能な一実装形態では、第2の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【００５５】
可能な一実装形態では、プロセッサは、第1の構成情報を送信するために使用される第1の送信リソースおよび第2の構成情報を送信するために使用される第2の送信リソースを決定するために、第2のアクセスネットワークデバイスと折衝するようにさらに構成され、ここで、第1の送信リソースは第2の送信リソースに直交する。
【００５６】
第1の態様から第6の態様において、可能な一実装形態では、タイプ1 PDCCHは、以下のサブフレーム、すなわち、タイプ1アップリンクサブフレーム、タイプ2アップリンクサブフレーム、タイプ1ダウンリンクサブフレーム、およびタイプ2ダウンリンクサブフレームのうちのいずれか1つの中に含まれ、
タイプ1アップリンクサブフレームは、PDCCH、ガード期間、物理アップリンク共有チャネルPUSCH、および物理アップリンク制御チャネルPUCCHを含み、
タイプ2アップリンクサブフレームは、PUCCHおよびPUSCHを含み、
タイプ1ダウンリンクサブフレームは、PDCCH、PDSCH、ガード期間、およびPUCCHを含み、
タイプ2ダウンリンクサブフレームは、PDCCHおよびPDSCHを含む。
【００５７】
第1の態様から第6の態様において、可能な一実装形態では、タイプ1 PDCCHが位置する時間領域リソースは、タイプ2 PDCCHに後続する直交周波数分割多重化OFDMシンボルであるか、またはタイプ1 PDCCHが位置する時間領域リソースは、タイプ2 PDCCHを伝送するために使用されるリソースのうちのいくつかであり、ここで、タイプ2 PDCCHは、端末デバイスのスケジューリング情報を搬送するために使用される。
【００５８】
第1の態様から第6の態様において、可能な一実装形態では、タイプ1 PDCCHの伝送電力は、タイプ2 PDCCHの伝送電力よりも大きく、タイプ2 PDCCHは、端末デバイスのスケジューリング情報を搬送するために使用される。
【００５９】
第1の態様から第6の態様において、可能な一実装形態では、第1の構成情報および第1の構成情報の実効時間情報のうちの少なくとも1つは、上位レイヤシグナリングを使用することによって搬送され、第2の構成情報および第2の構成情報の実効時間情報のうちの少なくとも1つは、上位レイヤシグナリングを使用することによって搬送される。
【００６０】
第1の態様から第6の態様において、可能な一実装形態では、第1の構成情報は、第1のアクセスネットワークデバイスによって送信されるランダムアクセス応答メッセージまたは競合解消メッセージの中で搬送される。
【００６１】
第1の態様から第6の態様において、可能な一実装形態では、第2の構成情報は、第2のアクセスネットワークデバイスによって送信されるランダムアクセス応答メッセージまたは競合解消メッセージの中で搬送される。
【００６２】
第1の態様から第6の態様において、可能な一実装形態では、第1のアクセスネットワークデバイスによって送信されるランダムアクセス応答メッセージまたは競合解消メッセージは、第1の構成情報の実効時間情報をさらに含む。
【００６３】
第1の態様から第6の態様において、可能な一実装形態では、第2のアクセスネットワークデバイスによって送信されるランダムアクセス応答メッセージまたは競合解消メッセージは、第2の構成情報の実効時間情報をさらに含む。
【００６４】
第1の態様から第6の態様において、可能な一実装形態では、第1の構成情報は、第1のアクセスネットワークデバイスによって送信されるページングメッセージの中で搬送される。
【００６５】
第1の態様から第6の態様において、可能な一実装形態では、第2の構成情報は、第2のアクセスネットワークデバイスによって送信されるページングメッセージの中で搬送される。
【００６６】
第1の態様から第6の態様において、可能な一実装形態では、第1のアクセスネットワークデバイスによって送信されるページングメッセージは、第1の構成情報の実効時間情報をさらに含む。
【００６７】
第1の態様から第6の態様において、可能な一実装形態では、第2のアクセスネットワークデバイスによって送信されるページングメッセージは、第2の構成情報の実効時間情報をさらに含む。
【００６８】
第1の態様から第6の態様において、可能な一実装形態では、実効時間情報は、以下の情報、すなわち、効果開始時点および実効持続時間のうちの少なくとも1つを含む。
【００６９】
第1の態様から第6の態様において、可能な一実装形態では、実効時間情報が実効持続時間のみ含むとき、効果開始時点と実効時間情報の通知時間との間の関係は事前指定または事前構成される。
【００７０】
第1の態様から第6の態様において、可能な一実装形態では、周波数領域ユニットは、周波数帯域、サブバンド、および物理リソースブロックPRBのうちの少なくとも1つを含み、時間領域ユニットは、スーパーフレーム、フレーム、スロット、サブフレーム、ミニサブフレーム、ミニスロット、OFDMシンボル、および1つのOFDMシンボルよりも短い時間単位のうちの少なくとも1つを含み、空間領域ユニットは、ビームおよびアンテナポートのうちの少なくとも1つを含み、ここで、ミニサブフレームはサブフレームよりも短く、ミニスロットはスロットよりも短い。
【００７１】
第1の態様から第6の態様において、可能な一実装形態では、第1の構成情報は、第1の無線ネットワーク一時識別子RNTIを使用することによってスクランブルされ、第2の構成情報は、第2のRNTIを使用することによってスクランブルされる。
【００７２】
第1の態様から第6の態様において、可能な一実装形態では、第1のアクセスネットワークデバイスおよび第2のアクセスネットワークデバイスは、少なくとも1つのリソースユニットの中で、異なる伝送方向を有する。
【００７３】
第1の態様から第6の態様において、可能な一実装形態では、第1の構成情報を送信するために第1のアクセスネットワークデバイスによって使用される第1の送信リソース、および第2の構成情報を送信するために第2のアクセスネットワークデバイスによって使用される第2の送信リソースは、オペレーション、アドミニストレーション、およびマネージメントOAMセンターによって構成される。
【００７４】
本出願において提供される、時間周波数リソースの伝送方向を構成するための方法、および装置によれば、端末デバイスは、第1のアクセスネットワークデバイスによって送信される第1の構成情報、および/または第2のアクセスネットワークデバイスによって送信される第2の構成情報を受信し、第1の構成情報および/または第2の構成情報に基づいてデータを伝送する。第1の構成情報は、少なくとも1つのリソースユニットの中に第1のアクセスネットワークデバイスの伝送方向の構成情報を含み、第2の構成情報は、少なくとも1つのリソースユニットの中に第2のアクセスデバイスの伝送方向の構成情報を含み、少なくとも1つのリソースユニットは、周波数領域ユニット、時間領域ユニット、および空間領域ユニットのうちの少なくとも1つを含む。この方法では、1つのサイクルは、無制限の数量のリソースユニットを含み、より多くのタイプのリソースユニットを含んでよく、異なるタイプおよび異なる数量のリソースユニットは、より多くの分配方式に対応し、言い換えれば、構成モードまたは構造もまた、より多様化される。このようにして、時間周波数空間リソースの伝送方向の構成はよりフレキシブルになり、動的に変化するサービス要件が満たされ得る。
【図面の簡単な説明】
【００７５】
【図１】本出願が適用可能である通信システムの概略構造図である。
【図２】実施形態1による、時間周波数リソースの伝送方向を構成するための方法のフローチャートである。
【図３】タイプ1スロットおよびタイプ2スロットの概略構造図である。
【図４】タイプ1 PDCCHが導入されるタイプ1サブフレームとタイプ1 PDCCHが導入されないタイプ1サブフレームとの間の比較の概略図である。
【図５】第1のDCIの概略図である。
【図６】実施形態2による、時間周波数リソースの伝送方向を構成するための方法のフローチャートである。
【図７】実施形態3による端末デバイスの概略構造図である。
【図８】実施形態4によるアクセスネットワークデバイスの概略構造図である。
【図９】実施形態5による端末デバイスの概略構造図である。
【図１０】実施形態6によるアクセスネットワークデバイスの概略構造図である。
【発明を実施するための形態】
【００７６】
本出願は、時間周波数リソースの伝送方向を構成するための方法を提供する。本出願において提供される方法は、様々な通信システム、たとえば、既存の2G、3G、および4G通信システム、ならびに5G通信システムなどの将来の発展型ネットワーク、また他の例では、ロングタームエボリューション(Long Term Evolution、LTE)システム、3GPP関連セルラーシステム、およびこのタイプの他の通信システムに適用され得る。特に、方法は5G超高密度ネットワーク(Ultra Dense Network、UDN)システムに適用され得る。5G通信システムが、マシンツーマシン(Machine to Machine、M2M)、D2M、マクロ-マイクロ通信、拡張モバイルブロードバンド(Enhanced Mobile Broadband、eMBB)、超高信頼かつ低レイテンシ通信(Ultra Reliable & Low Latency Communication、uRLLC)、およびマッシブマシンタイプ通信(Massive Machine Type Communication、mMTC)などのシナリオを含んでよいことに留意されたい。これらのシナリオは、限定はしないが、基地局間の通信シナリオ、基地局と端末との間の通信シナリオ、端末間の通信シナリオなどを含んでよい。本出願の以下の実施形態において提供される技術的解決策はまた、5G(5th-Generation、略して5G)通信システムにおける、基地局と端末との間の通信、基地局間の通信、および端末間の通信などのシナリオに適用され得る。
【００７７】
図1は、本出願が適用可能である通信システムの概略構造図である。図1に示すように、通信システムは、2つのセル、すなわち、第1のセルおよび第2のセルを含む。第1のセルは第2のセルに隣接している。第1のセルのアクセスネットワークデバイスは第1のアクセスネットワークデバイスであり、第1のセルは複数の端末デバイスを含む。第2のセルのアクセスネットワークデバイスは第2のアクセスネットワークデバイスであり、第2のセルも複数の端末デバイスを含む。
【００７８】
本出願において言及される第1のアクセスネットワークデバイス、第2のアクセスネットワークデバイス、または他のアクセスネットワークデバイスが、モバイル通信用グローバルシステム(Global System of Mobile communication、略してGSM(登録商標))もしくは符号分割多元接続(Code Division Multiple Access、略してCDMA)システムにおけるトランシーバ基地局(Base Transceiver Station、略してBTS)であってよく、または広帯域符号分割多元接続(Wideband Code Division Multiple Access、略してWCDMA(登録商標))システムにおけるノードB(NodeB、略してNB)であってよく、またはロングタームエボリューション(Long Term Evolution、略してLTE)システムにおける発展型ノードB(evolved NodeB、略してeNB)、アクセスポイント(access point、AP)、もしくは中継局であってよく、または5Gシステムにおける基地局(たとえば、gNBまたは伝送ポイント(Transmission Point、TRP))であってよく、またはクラウド無線アクセスネットワーク(Cloud Radio Access Network、CRAN)シナリオにおける無線コントローラ、ウェアラブルデバイス、もしくは車載デバイスなどであってよいことが明らかにされるべきである。このことは本明細書では限定されない。
【００７９】
基地局は、ビルディングベースバンドユニット(Building Baseband Unit、BBU)およびリモート無線ユニット(Remote Radio Unit、RRU)を含んでよい。RRUはアンテナシステム(言い換えれば、アンテナ)に接続され、BBUおよびRRUは必要に基づいて使用のために分割されてよい。特定の実装プロセスでは基地局が代替的に他の汎用ハードウェアアーキテクチャを有してよいことに留意されたい。
【００８０】
本出願において言及される端末デバイスは、ユーザ機器(User Equipment、UE)、アクセス端末、UEユニット、UE局、移動局、移動局、リモート局、リモート端末、モバイルデバイス、UE端末、端末、ワイヤレス通信デバイス、UEエージェント、UE装置などであってよい。端末デバイスは、代替として、セルラーフォン、コードレスフォン、セッション開始プロトコル(Session Initiation Protocol、SIP)フォン、ワイヤレスローカルループ(Wireless Local Loop、WLL)局、携帯情報端末(Personal Digital Assistant、PDA)、ワイヤレス通信機能を有するハンドヘルドデバイス、ワイヤレスモデムに接続されたコンピューティングデバイスまたは他の処理デバイス、車載デバイス、ウェアラブルデバイス、将来の5Gネットワークにおける端末、将来の発展型PLMNネットワークにおける端末などであってよい。
【００８１】
図2は、実施形態1による、時間周波数リソースの伝送方向を構成するための方法のフローチャートである。図2に示すように、この実施形態において提供される方法は以下のステップを含む。
【００８２】
ステップS101:端末デバイスは、第1のアクセスネットワークデバイスによって送信される第1の構成情報、および/または第2のアクセスネットワークデバイスによって送信される第2の構成情報を受信する。
【００８３】
第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む。第2の構成情報は、少なくとも1つのリソースユニットの中に第2のアクセスデバイスの伝送方向の構成情報を含み、少なくとも1つのリソースユニットは、周波数領域ユニット、時間領域ユニット、および空間領域ユニットのうちの少なくとも1つを含む。
【００８４】
端末デバイスは、第1のアクセスネットワークデバイスのカバレージ内の端末デバイスであってよく、または第2のアクセスネットワークデバイスのカバレージ内の端末デバイスであってもよい。この実施形態では、伝送方向はダウンリンクまたはアップリンクである。ダウンリンクとは、アクセスネットワークデバイスから端末デバイスへの伝送方向を意味し、アップリンクとは、端末デバイスからアクセスネットワークデバイスへの伝送方向を意味する。リソースユニットの伝送方向の構成情報は、リソースユニットの伝送方向がダウンリンクであるのかそれともアップリンクであるのかを示すために使用される。リソースユニットが時間領域ユニットを含むとき、時間領域ユニットの伝送方向の構成情報は、時間領域ユニットの伝送方向がダウンリンクであるのかそれともアップリンクであるのかを示すために使用される。同様に、周波数領域ユニットの伝送方向の構成情報は、周波数領域ユニットの伝送方向がダウンリンクであるのかそれともアップリンクであるのかを示すために使用され、空間領域ユニットの伝送方向の構成情報は、空間領域ユニットの伝送方向がダウンリンクであるのかそれともアップリンクであるのかを示すために使用される。
【００８５】
この実施形態では、周波数領域ユニットは、周波数帯域、サブバンド、および物理リソースブロック(physical resource block、略してPRB)のうちの少なくとも1つを含む。時間領域ユニットは、スーパーフレーム、フレーム、スロット、サブフレーム、ミニサブフレーム、ミニスロット、直交周波数分割多重化(Orthogonal Frequency Division Multiplexing、OFDM)シンボル、および1つのOFDMシンボルよりも短い時間単位のうちの少なくとも1つを含む。空間領域ユニットは、ビーム(beam)およびアンテナポートのうちの少なくとも1つを含む。
【００８６】
物理リソースブロック(Physical Resource Block、PRB):1つのPRBは、周波数領域において12本の連続するキャリア(キャリア間隔が15Kであるときに180K)、また時間領域において1スロット(サブフレームの半分、0.5ms)のリソースに相当する。PRBは12行および7列を含む。各列は1つのOFDMシンボルを表し、各行は1本のサブキャリアを表す。
【００８７】
リソース要素(Resource element、RE):1つのリソース要素は、周波数において1本のサブキャリアに相当し、時間領域において1つのOFDMシンボルに相当する。
【００８８】
サブバンド:サブバンドはいくつかのサブキャリアを含む。
【００８９】
周波数帯域:周波数帯域は全キャリア周波数帯域である。
【００９０】
スロット:1つのスロットは7つのOFDMシンボルに相当し、スロット長は0.5msである。
【００９１】
サブフレーム:1つのサブフレームは2つのスロットを含み、サブフレーム長は1msである。
【００９２】
無線フレーム:1つの無線フレームは10個のサブフレームを含む。
【００９３】
スーパーフレーム:1つのスーパーフレームは51個のマルチフレームを含み、1つのマルチフレームは26個のサブフレームを含む。
【００９４】
ミニサブフレーム:ミニサブフレームはミニ(mini)サブフレームとも呼ばれる。ミニサブフレームはサブフレームよりも短く、サブフレームが含むよりも少ないOFDMシンボルを含む。
【００９５】
ミニスロット:ミニスロットはミニスロットとも呼ばれる。ミニスロットはスロットよりも短く、スロットが含むよりも少ないOFDMシンボルを含む。
【００９６】
スロットは、タイプ1スロットおよびタイプ2スロットを含む。タイプ2スロットは、LTEシステムにおけるスロットと同じ定義を有する。タイプ2スロットは、タイプ2アップリンクスロットおよびタイプ2ダウンリンクスロットを含む。タイプ2アップリンクスロットは、物理アップリンク共有チャネル(Physical Uplink Shared Channel、略してPUSCH)および物理アップリンク制御チャネル(Physical Uplink Control Channel、略してPUCCH)を含む。タイプ2ダウンリンクスロットは、物理ダウンリンク共有チャネル(Physical Downlink Shared Channel、略してPDSCH)および物理ダウンリンク制御チャネル(Physical Downlink Control Channel、略してPDCCH)を含む。タイプ1スロットは新たなタイプのスロットであり、自己完結型スロット、新たな無線(new radio)スロット、双方向スロット、またはハイブリッドスロットとも呼ばれる。タイプ1スロットは、タイプ1ダウンリンクスロットおよびタイプ1アップリンクスロットを含む。図3は、タイプ1スロットおよびタイプ2スロットの概略構造図である。図3に示すように、タイプ1アップリンクスロットは、PDCCH、PUSCH、およびPUCCHを含み、タイプ1ダウンリンクスロットは、PDCCH、PDSCH、およびPUCCHを含む。タイプ1アップリンクスロットでは、PDCCHは、1つのサブフレームの中で最初のいくつかのOFDMシンボル(たとえば、最初の2つまたは最初の3つのOFDMシンボル)を占有し、PUCCHは、1つのサブフレームの中で最後のいくつかのOFDMシンボル(たとえば、最後の2つまたは最後の3つのOFDMシンボル)を占有し、PUSCHは、PDCCHとPUCCHとの間のOFDMシンボルを占有し、PDCCHとPUSCHとの間に遷移期間またはガード期間(Guard Period、略してGP)がある。タイプ1ダウンリンクスロットでは、PDCCHは、1つのサブフレームの中で最初のいくつかのOFDMシンボル(たとえば、最初の2つまたは最初の3つのOFDMシンボル)を占有し、PUCCHは、1つのサブフレームの中で最後のいくつかのOFDMシンボル(たとえば、最後の2つまたは最後の3つのOFDMシンボル)を占有し、PDSCHは、PDCCHとPUCCHとの間のOFDMシンボルを占有し、PDSCHとPUCCHとの間に遷移期間またはGPがある。PDCCHは、ダウンリンク制御情報を伝送するために使用され、PUCCHは、アップリンク制御情報を伝送するために使用され、PUSCHは、アップリンクデータを伝送するために使用され、PDSCHは、ダウンリンクデータを伝送するために使用される。
【００９７】
サブフレームは、タイプ1サブフレームおよびタイプ2サブフレームを含む。タイプ2サブフレームは、LTEシステムにおけるサブフレームであり、タイプ2サブフレームは、タイプ2アップリンクサブフレームおよびタイプ2ダウンリンクサブフレームを含む。タイプ2アップリンクサブフレームは、PUCCHおよびPUSCHを含む。タイプ2ダウンリンクサブフレームは、PDCCHおよびPDSCHを含む。タイプ1サブフレームは新たなタイプのサブフレームであり、自己完結型サブフレーム、新たな無線(new radio)サブフレーム、双方向サブフレーム、またはハイブリッドサブフレームとも呼ばれる。タイプ1サブフレームは、タイプ1ダウンリンクサブフレームおよびタイプ1アップリンクサブフレームを含む。タイプ1アップリンクサブフレームおよびタイプ1アップリンクスロットは同じ構造を有し、タイプ1ダウンリンクサブフレームおよびタイプ1ダウンリンクスロットは同じ構造を有する。図3に示すように、タイプ1アップリンクサブフレームは、PDCCH、GP、PUSCH、およびPUCCHを含み、タイプ1ダウンリンクサブフレームは、PDCCH、PDSCH、GP、およびPUCCHを含む。タイプ1アップリンクサブフレームは、アップリンク優勢サブフレームまたはアップリンク中心サブフレームと呼ばれることもあり、タイプ1ダウンリンクサブフレームは、ダウンリンク優勢サブフレームまたはダウンリンク中心サブフレームと呼ばれることもある。タイプ1アップリンクサブフレームでは、PDCCHは、1つのサブフレームの中で最初のいくつかのOFDMシンボル(たとえば、最初の2つまたは最初の3つのOFDMシンボル)を占有し、PUCCHは、1つのサブフレームの中で最後のいくつかのOFDMシンボル(たとえば、最後の2つまたは最後の3つのOFDMシンボル)を占有し、PUSCHは、PDCCHとPUCCHとの間のOFDMシンボルを占有し、PDCCHとPUSCHとの間にガード期間がある。タイプ1ダウンリンクサブフレームでは、PDCCHは、1つのサブフレームの中で最初のいくつかのOFDMシンボル(たとえば、最初の2つまたは最初の3つのOFDMシンボル)を占有し、PUCCHは、1つのサブフレームの中で最後のいくつかのOFDMシンボル(たとえば、最後の2つまたは最後の3つのOFDMシンボル)を占有し、PDSCHは、PDCCHとPUSCHとの間のOFDMシンボルを占有し、PDSCHとPUCCHとの間にガード期間がある。
【００９８】
時間周波数空間リソースの伝送方向を構成するためのリソースユニットがもはやサブフレームに限定されず、ただし代わりに、時間周波数空間リソースユニットが、より小さいリソースユニット(たとえば、スロット、ミニサブフレーム、ミニスロット、OFDMシンボル、または1つのOFDMシンボルよりも短い時間単位)またはより大きいリソースユニット(たとえば、スーパーフレーム)に分割されるので、時間周波数空間リソースの分割はよりフレキシブルになる。さらに、時間周波数空間リソースの伝送方向の構成が空間領域において可変であり、言い換えれば、異なる空間領域ユニット、たとえば、異なるアンテナポートまたはビームの中で、異なる伝送方向が構成され得るので、別種の形態および異なるサイズのこれらのリソースユニットに基づいて、アップリンクおよびダウンリンク伝送方向が構成されるとき、時間周波数空間リソースの伝送方向の構成は、よりフレキシブルになることができる。加えて、1つのサイクルは、無制限の数量のリソースユニットを含み、より多くのタイプのリソースユニットを含んでよく、異なるタイプおよび異なる数量のリソースユニットが、より多くの分配方式に対応し、言い換えれば、構成モードまたは構造もまた、より多様化される。このようにして、時間周波数空間リソースの伝送方向の構成はよりフレキシブルになり、動的に変化するサービス要件が満たされ得る。
【００９９】
この実施形態では、端末デバイスは接続モードであってよく、またはアイドルモードであってもよい。接続モードにある端末デバイスの場合、第1の構成情報と第2の構成情報の両方が、タイプ1 PDCCH上で搬送されてよく、タイプ1 PDCCHは、時間周波数リソースまたは時間周波数空間リソースの伝送方向の構成情報を搬送するために使用される。この実施形態では、タイプ1 PDCCHは、以下のサブフレーム、すなわち、タイプ1アップリンクサブフレーム、タイプ2アップリンクサブフレーム、タイプ1ダウンリンクサブフレーム、およびタイプ2ダウンリンクサブフレームのうちのいずれか1つの中に含まれてよい。タイプ1アップリンクサブフレーム、タイプ2アップリンクサブフレーム、タイプ1ダウンリンクサブフレーム、およびタイプ2ダウンリンクサブフレームの構造については、上記の説明を参照されたい。詳細は本明細書で再び説明しない。
【０１００】
タイプ1アップリンクサブフレーム、タイプ2アップリンクサブフレーム、タイプ1ダウンリンクサブフレーム、およびタイプ2ダウンリンクサブフレームの中で、タイプ1 PDCCHによって占有される時間周波数リソースの特定の位置は、この実施形態では限定されない。たとえば、タイプ1 PDCCHが位置する時間領域リソースは、タイプ2 PDCCHに後続するOFDMシンボルであってよく、タイプ2 PDCCHは、端末デバイスのスケジューリング情報を搬送するために使用され、言い換えれば、タイプ2 PDCCHはLTEシステムにおけるPDCCHである。LTEシステムでは、タイプ2 PDCCHは、1つのサブフレームの中で最初の3つのOFDMシンボルのうちの1つまたは複数を占有する。したがって、タイプ1 PDCCHが位置する時間領域リソースは、3番目のOFDMシンボルに後続するいずれか1つまたは複数の任意のOFDMシンボルであってよく、タイプ1 PDCCHが位置する時間領域リソースは、連続するかまたは連続しないOFDMシンボルであってよい。たとえば、タイプ1 PDCCHが位置する時間領域リソースは、4番目のOFDMシンボルまたは5番目のOFDMシンボルである。代替として、タイプ1 PDCCHが位置する時間領域リソースは、タイプ2 PDCCHを伝送するためのリソースのうちのいくつかであってよい。たとえば、タイプ1 PDCCHが位置する時間領域リソースは、1つのサブフレームの中で、最初の3つのOFDMシンボルの中のいずれか1つまたは2つのOFDMシンボルを占有する。タイプ1 PDCCHが位置する時間領域リソースによって占有されるOFDMシンボルは、アクセスネットワークデバイスによって構成されてよく、または端末デバイスによって確保されてもよい。
【０１０１】
図4は、タイプ1 PDCCHが導入されるタイプ1サブフレームとタイプ1 PDCCHが導入されないタイプ1サブフレームとの間の比較の概略図である。図4に示すように、第1の行の中のサブフレームN+1は、タイプ1 PDCCHが導入されないタイプ1アップリンクサブフレームであり、第3の行の中のサブフレームN+1は、タイプ1 PDCCHが導入されるタイプ1アップリンクサブフレームである。第1の行の中のサブフレームN+1と第3の行の中のサブフレームN+1との間の比較によれば、タイプ1アップリンクサブフレームのPDCCHとガード期間との間にタイプ1 PDCCHが追加されることが知られ得る。それに対応して、PUSCHによって占有される時間領域リソースは小さくなる。タイプ1アップリンクサブフレームのPDCCHはタイプ2 PDCCHである。第2の行の中のサブフレームN+1は、タイプ1 PDCCHが導入されないタイプ1ダウンリンクサブフレームであり、第4の行の中のサブフレームN+1は、タイプ1 PDCCHが導入されるタイプ1ダウンリンクサブフレームである。第2の行の中のサブフレームN+1と第4の行の中のサブフレームN+1との間の比較によれば、タイプ1ダウンリンクサブフレームのPDCCHとPDSCHとの間にタイプ1 PDCCHが追加されることが知られ得る。タイプ1ダウンリンクサブフレームのPDCCHはタイプ2 PDCCHである。
【０１０２】
この実施形態では、タイプ1 PDCCHは、グループPDCCH(group PDCCH)、共通PDCCH(common PDCCH)、またはグループ共通PDCCH(group common PDCCH)とも呼ばれる。グループは、時間領域リソース、周波数領域リソース、および空間領域リソースのうちの少なくとも1つに対応し得る。グループが時間領域リソースに対応するとき、グループは時間期間を示してよい。言い換えれば、タイプ1 PDCCHは、時間期間内での伝送方向の構成情報を含む。時間期間は、連続的な時間期間であってよく、または断続的な時間期間であってもよい。時間期間は複数の周波数領域ユニットを含んでよい。グループが周波数領域リソースに対応するとき、グループは、キャリア、周波数帯域、およびサブバンドのうちの少なくとも1つを示してよい。言い換えれば、タイプ1 PDCCHは、1つまたは複数のキャリア、サブバンド、または周波数帯域の伝送方向の構成情報を含む。キャリアはキャリア周波数帯域であってよい。グループが空間領域リソースに対応するとき、グループは、ビームおよびアンテナポートのうちの少なくとも1つを示してよい。言い換えれば、タイプ1 PDCCHは、1つまたは複数のビームまたはアンテナポートの伝送方向の構成情報を含む。
【０１０３】
この実施形態では、タイプ1 PDCCHは第1のDCIを含む。第1のDCIは、本出願において新たに定義されるDCIである。一実装形態では、第1のDCIは、少なくとも1つの情報ブロック(block)を含み、各情報ブロックは、少なくとも1つのリソースユニットの伝送方向の構成情報を含む。少なくとも1つのリソースユニットは、周波数領域ユニット、時間領域ユニット、および空間領域ユニットのうちの少なくとも1つを含む。第1のDCIは、グループDCI(group DCI)、共通DCI(common DCI)、またはグループ共通DCI(group common DCI)とも呼ばれる。グループは、時間領域リソース、周波数領域リソース、および空間領域リソースのうちの少なくとも1つに対応し得る。グループが時間領域リソースに対応するとき、第1のDCIの各情報ブロックは、時間期間内での伝送方向の構成情報を含んでよい。時間期間は、連続的な時間期間であってよく、または断続的な時間期間であってもよい。時間期間は複数の時間領域ユニットを含んでよい。グループが周波数領域リソースに対応するとき、第1のDCIの各情報ブロックは、1つまたは複数のキャリア、サブバンド、または周波数帯域の伝送方向の構成情報を示す。グループが空間領域リソースに対応するとき、各情報ブロックは、1つもしくは複数のビームおよび/または1つもしくは複数のアンテナポートの伝送方向の構成情報を含む。
【０１０４】
図5は、第1のDCIの概略図である。図5に示すように、第1のDCIは3つの情報ブロックを含む。第1の情報ブロックは、サブバンド1の伝送方向の構成情報を含み、第2の情報ブロックは、サブバンド2の伝送方向の構成情報を含み、第3の情報ブロックは、サブバンド3の伝送方向の構成情報を含む。任意選択で、各情報ブロックは、事前分割を通じて取得された複数の周波数領域ユニットの中に伝送方向の構成情報を含んでよい。たとえば、第1のDCIは3つの情報ブロックを含む。第1の情報ブロックは、キャリア1の伝送方向の構成情報〜キャリア5の伝送方向の構成情報を含み、第2の情報ブロックは、キャリア6の伝送方向の構成情報〜キャリア10の伝送方向の構成情報を含み、以下同様である。グループが空間領域リソースに対応するとき、第1のDCIの各情報ブロックは、1つまたは複数のビームまたはアンテナポートの伝送方向の構成情報を示す。たとえば、第1のDCIは3つの情報ブロックを含む。第1の情報ブロックは、ビーム1の伝送方向の構成情報を含み、第2の情報ブロックは、ビーム2の伝送方向の構成情報を含み、第3の情報ブロックは、ビーム3の伝送方向の構成情報を含む。任意選択で、各情報ブロックは、事前分割を通じて取得された複数の空間領域ユニットの中に伝送方向の構成情報を含んでよい。たとえば、第1のDCIは3つの情報ブロックを含む。第1の情報ブロックは、ビーム1の伝送方向の構成情報〜ビーム5の伝送方向の構成情報を含み、第2の情報ブロックは、ビーム6の伝送方向の構成情報〜ビーム10の伝送方向の構成情報を含み、以下同様である。加えて、グループは、代替として、時間領域リソース、周波数領域リソース、および空間領域リソースのうちのいずれか2つまたは3つの組合せに対応してよい。たとえば、グループが空間領域リソースおよび周波数領域リソースに対応するとき、第1のDCIの各情報ブロックは、1つまたは複数の伝送ビーム上における、1つまたは複数のキャリア、サブバンド、または周波数帯域の伝送方向の構成情報を示す。
【０１０５】
任意選択で、各情報ブロックは、構成情報の実効時間情報をさらに含む。実効時間情報は、対応する構成情報の実効時間を示すために使用される。実効時間情報は、以下の情報、すなわち、効果開始時点および実効持続時間のうちの少なくとも1つを含む。実効時間の期間は、効果開始時点および実効持続時間に基づいて一意に決定されてよい。実効持続時間は時間ウィンドウと呼ばれることもある。実効時間情報が実効持続時間のみ含むとき、構成情報の中の効果開始時点はデフォルト値であってよい。たとえば、効果開始時点は実効時間情報の通知時間であり、実効時間情報の通知時間とは第1のDCIが受信される時間である。代替として、効果開始時点と実効時間情報の通知時間との間の関係が、端末デバイスによって事前指定されるか、またはアクセスネットワークデバイスによって事前構成される。この場合、端末デバイスは、効果開始時点と通知時間との間の関係に基づいて効果開始時点を決定する。たとえば、効果開始時点と通知時間との間の関係が、効果開始時点が通知時間よりも2ms遅れている場合、端末デバイスは、通知時間に2msを加えることによって効果開始時点を取得する。
【０１０６】
第1の構成情報、第1の構成情報の実効時間情報、第2の構成情報、および第2の構成情報の実効時間情報が、インデックスを使用することによって第1のDCIの中で示されてよい。それに対応して、実効時間のインデックスと構成情報のインデックスとの間の対応が、インデックステーブルとして事前指定または事前構成されてよい。インデックステーブルは、システム情報の中でブロードキャストされてよく、またはオペレーション、アドミニストレーション、およびマネージメント(operation, administration, and management、略してOAM)センターによって事前構成されてもよい。インデックステーブルの中で、インデックス1(index 1)は、デフォルト実効時間に対応する構成情報のインデックスを示すために使用されてよく、インデックス2(index 2)は、有効な実効時間のインデックスと構成情報のインデックスとの間の関係を示すために使用されてよい。有効な実効時間はデフォルト実効時間ではない。構成情報インデックスを使用することによって、異なる構成情報が区別される。表1は、デフォルト実効時間のインデックスと構成情報のインデックスとの間の対応である。
【０１０７】
【表１】
0006891296.tif 000002
【０１０８】
表1に示すように、デフォルト実効時間は3ビットによって示される。3ビットは、合計8つのデフォルト実効時間を示すことができ、各デフォルト実効時間は、1つまたは複数のタイプの構成情報に対応する。たとえば、各デフォルト実効時間が、あるタイプの構成情報に対応するとき、001によって示されるデフォルト実効時間は、そのインデックスが1である構成情報に対応し、010によって示されるデフォルト実効時間は、そのインデックスが2である構成情報に対応し、100によって示されるデフォルト実効時間は、そのインデックスが3である構成情報に対応する。第1の構成情報の実効時間および/または第2の構成情報の実効時間がデフォルト実効時間である場合、第1の構成情報および/または第2の構成情報によって使用されるデフォルト実効時間は、第1のDCIの中の対応するビットを使用することによって示される。デフォルト実効時間を示すために使用されるビットは、アクセスネットワークデバイスによって事前構成されてよい。
【０１０９】
表2は、有効な実効時間のインデックスと構成情報のインデックスとの間の関係である。
【０１１０】
【表２】
0006891296.tif 000003
【０１１１】
表2に示すように、有効な実効時間のインデックスは、たとえば、1、2、および3であり、有効な各実効時間は複数のタイプの構成情報に対応する。たとえば、有効実効時間インデックス1によって示される有効な実効時間は、そのインデックスが、1、2、および3である構成情報に対応し、有効実効時間インデックス2によって示される有効な実効時間は、そのインデックスが、4、5、および6である構成情報に対応し、有効実効時間インデックス3によって示される有効な実効時間は、そのインデックスが、7、8、および9である構成情報に対応する。
【０１１２】
それに対応して、第1のDCIの中で、一連のビットは、そのインデックスが1である構成情報に対応し、一連のビットは、そのインデックスが2である構成情報とそのインデックスが1である構成情報との組合せに対応する。たとえば、第1のDCIの各情報ブロックの中で、そのインデックスが1である構成情報を示すために3ビットが占有され、そのインデックスが2である構成情報とそのインデックスが1である構成情報との組合せを示すために5ビットが占有される。詳細には、適用される特定の構成情報、および構成情報の実効時間は、ビットをアクティブ化または非アクティブ化することによって表示されてよい。確かに、他の実装形態では、代替として、アクセスネットワークデバイスが、構成情報のインデックス、または構成情報のインデックスおよび実効時間のインデックスを明示的に示してよい。たとえば、アクセスネットワークデバイスは、構成情報のインデックスおよび実効時間のインデックスを搬送するために上位レイヤシグナリング(たとえば、RRCメッセージ)を使用してよく、または構成情報のインデックスおよび実効時間のインデックスを搬送するためにMACレイヤシグナリングもしくは物理レイヤシグナリングを使用してもよい。加えて、他の実装形態では、代替として、アクセスネットワークデバイスは、構成情報、または構成情報および実効時間を明示的に示してよい。たとえば、アクセスネットワークデバイスは、構成情報および実効時間を搬送するために上位レイヤシグナリング(たとえば、RRCメッセージ)を使用してよく、または構成情報および実効時間を搬送するためにMACレイヤシグナリングもしくは物理レイヤシグナリングを使用してもよい。
【０１１３】
第1のDCIが複数の情報ブロックを含むとき、情報ブロックの中の内容が正確に読み取られ得るように、端末デバイスは各情報ブロックの開始リソース位置を知る必要がある。任意選択で、端末デバイスは、ネットワークデバイスによって送信される上位レイヤ構成シグナリングを受信し、ここで、上位レイヤ構成シグナリングは、各情報ブロックの開始リソース位置のパラメータを含み、端末デバイスは、各情報ブロックの開始リソース位置のパラメータに基づいて、各情報ブロックの開始リソース位置を取得し、次いで、各情報ブロックの開始リソース位置に基づいて、タイプ1 PDCCHから各情報ブロックの中の内容を読み取る。
【０１１４】
端末デバイスがx個の構成情報(xは1以上である)およびm個の情報ブロックを有する場合、以下のフィールド、すなわち、時間長インジケータフィールドおよび構成インジケータフィールドが、各情報ブロックの中に定義されてよい。1つの時間長インジケータは、0個またはy個(yは1以上である)のビットによって示されてよく、ここで、0はデフォルト実効時間が使用されることを意味し、デフォルト実効時間は1つの時間領域ユニットであってよい。構成インジケータフィールドは、複数の構成番号を含んでよい。たとえば、構成インジケータフィールドは、構成番号1、構成番号2、...、および構成番号nである。n個の構成インジケータフィールドは、事前定義、事前通知、または事前ブロードキャストされた、構成情報のセットに対応する。
【０１１５】
同様に、端末デバイスがx個の構成情報およびm個の情報ブロックを有する場合、以下のフィールド、すなわち、キャリアインジケータフィールドおよび構成インジケータフィールドが、各情報ブロックの中に定義されてよい。キャリアインジケータフィールドは、1本のキャリアまたは複数本のキャリアを示してよい。構成インジケータフィールドは、複数の構成番号を含んでよい。たとえば、構成インジケータフィールドは、構成番号1、構成番号2、...、および構成番号nである。n個の構成インジケータフィールドは、事前定義、事前通知、または事前ブロードキャストされた、構成情報のセットに対応する。代替として、キャリアインジケータフィールドの中の「キャリア」は、「周波数帯域」または「サブバンド」と置き換えられてよい。
【０１１６】
同様に、端末デバイスがx個の構成情報およびm個の情報ブロックを有する場合、以下のフィールド、すなわち、ビームインジケータフィールドおよび構成インジケータフィールドが、各情報ブロックの中に定義されてよい。ビームインジケータフィールドは、1つのビームまたは複数のビームを示してよい。構成インジケータフィールドは、複数の構成番号を含んでよい。たとえば、構成インジケータフィールドは、構成番号1、構成番号2、...、および構成番号nである。n個の構成インジケータフィールドは、事前定義、事前通知、または事前ブロードキャストされた、構成情報のセットに対応する。代替として、ビームインジケータフィールドの中の「ビーム」は、「アンテナポート」と置き換えられてよい。
【０１１７】
上記の説明は例にすぎない。実際には、各情報ブロックは、複数の任意の時間領域リソース、周波数領域リソース、および空間領域リソースのうちの1つまたはそれらの組合せの伝送方向の構成情報を含んでよい。
【０１１８】
任意選択で、第1の構成情報および第1の構成情報の実効時間情報のうちの少なくとも1つは、上位レイヤシグナリングを使用することによって搬送されてよい。同様に、第2の構成情報および第2の構成情報の実効時間情報のうちの少なくとも1つは、上位レイヤシグナリングを使用することによって搬送される。任意選択で、上位レイヤシグナリングの構成は、第1のDCIの中の対応するビットによってアクティブ化される。たとえば、5つの任意選択の実効時間情報および対応するインデックスがあることが、上位レイヤシグナリングに基づいて事前に知られる場合、実効時間情報のどの部分のインデックスがアクティブ化されるのかを示すように、対応するビットが第1のDCIの中で設定される。
【０１１９】
任意選択で、第1のアクセスネットワークデバイスによって送信されるタイプ1 PDCCHを受信する前に、端末デバイスは、タイプ1 PDCCHのものであり第1のアクセスネットワークデバイスによって送信されるアクティブ化指示情報を受信し、第2のアクセスネットワークデバイスによって送信されるタイプ1 PDCCHを受信する前に、端末デバイスは、タイプ1 PDCCHのものであり第2のアクセスネットワークデバイスによって送信されるアクティブ化指示情報を受信する。タイプ1 PDCCHのアクティブ化指示情報は、アクセスネットワークデバイスがタイプ1 PDCCHを使用すべきであることを端末デバイスに通知するために使用される。
【０１２０】
任意選択で、タイプ1 PDCCHの伝送電力は、タイプ2 PDCCHの伝送電力よりも大きい。アクセスネットワークデバイスによって送信されるタイプ1 PDCCHは、ローカルセルの中の端末デバイスによって受信される必要があるだけでなく、隣接セルの中の端末デバイスによって受信される必要もあるが、タイプ2 PDCCHは、通常、ローカルセルの中の端末デバイスのみによって受信される必要があるので、タイプ1 PDCCHは、タイプ2 PDCCHが必要とするよりも大きい伝送電力を必要とする。端末デバイスは、共通基準信号(Common Reference Signal、略してCRS)に対するタイプ1 PDCCHの電力比に基づいて、タイプ1 PDCCHを復調する必要がある。それに対応して、端末デバイスは、CRSに対するタイプ1 PDCCHの第1の電力比の、第1のアクセスネットワークデバイスによって送信される第1の決定パラメータを受信し、かつ/または端末デバイスは、CRSに対するタイプ1 PDCCHの第2の電力比の、第2のアクセスネットワークデバイスによって送信される第2の決定パラメータを受信する。端末デバイスは、第1の決定パラメータに基づいて第1の電力比を決定し、第1のアクセスネットワークデバイスによって送信されるタイプ1 PDCCHを第1の電力比に基づいて復調し、端末デバイスは、第2の決定パラメータに基づいて第2の電力比を決定し、第2のアクセスネットワークデバイスによって送信されるタイプ1 PDCCHを第2の電力比に基づいて復調する。第1の決定パラメータおよび第2の決定パラメータは、無線リソース制御(Radio Resource Control、略してRRC)シグナリング、たとえば、ブロードキャストシグナリングを使用することによって示されてよくまたは事前通知されてもよい。代替として、第1の決定パラメータおよび第2の決定パラメータは、物理レイヤシグナリングを使用することによって示されてよくまたは事前通知されてもよい。
【０１２１】
任意選択で、構成情報の実効持続時間はX2インターフェース切替え時間よりも短い。X2インターフェースはeNB間の相互接続インターフェースであり、データおよびシグナリングの直接伝送をサポートする。たとえば、X2インターフェースの遅延が10ms〜20msである場合、構成情報の実効持続時間は10msよりも短い。
【０１２２】
第1の構成情報および第2の構成情報を送信するための上述の方法は、接続モードにある端末デバイスに適用可能である。アイドルモードにある端末デバイスは、タイプ1 PDCCHを受信することができない。アイドルモードにある端末デバイスは、ネットワークにアクセスし第1のタイプ1 PDCCHを受信した後にのみ、時間周波数リソースの伝送方向の構成情報を取得することができる。したがって、アイドルモードにある端末デバイスが時間周波数空間リソースの伝送方向の構成情報をできるだけ早く取得できるように、いくつかの拡張方式がアイドルモードにある端末デバイスに対して使用される必要がある。
【０１２３】
この実施形態では、時間周波数空間リソースの伝送方向の構成情報は、ランダムアクセスプロセスの中で搬送される。ランダムアクセスプロセスは、コンテンションベースのランダムアクセスプロセスおよび非コンテンションベースのランダムアクセスプロセスを含む。コンテンションベースのランダムアクセスプロセスでは、端末デバイスは、ネットワーク側へのランダムアクセスプロセスを開始するために、プリアンブル系列(LTEシステムでは、各セルは64個の利用可能なプリアンブル系列を有する)をランダムに選択し、複数の端末デバイスが、ランダムアクセスプロセスを開始するために同じ時点において同じプリアンブル系列を使用する場合、衝突が発生しアクセスは失敗することがある。非コンテンションベースのランダムアクセスプロセスでは、端末デバイスは、ランダムアクセスプロセスを開始するために、基地局によって割り当てられたプリアンブル系列を使用し、したがって、衝突が発生せずアクセス成功レートは比較的大きい。
【０１２４】
競合ベースランダムアクセスプロセスは、主に4つのステップを含む。すなわち、(1)端末デバイスが、プリアンブル(preamble)系列をランダムに選択し、ランダムアクセスチャネル(Random Access Channel、略してRACH)上でプリアンブル系列を送信する。(2)端末デバイスによって送信されるプリアンブル系列を検出した後、基地局が、ランダムアクセス応答(Random Access Response、略してRAR)を端末デバイスへ送信する。(3)ランダムアクセス応答を受信した後、端末デバイスは、ランダムアクセス応答によって示されるように、割り振られたアップリンクリソース上でアップリンクメッセージを送信する。(4)基地局は、端末デバイスによって送信されるアップリンクメッセージを受信し、競合解消メッセージを端末デバイスへ送信する。
【０１２５】
非コンテンションベースのランダムアクセスプロセスは、主に3つのステップを含む。すなわち、(1)基地局が、専用のシグナリングを使用することによって専用のプリアンブル系列を指定する。(2)端末デバイスが、基地局によって割り当てられたプリアンブル系列をRACH上で送信する。(3)端末デバイスによって送信されるプリアンブル系列を受信した後、基地局は、ランダムアクセス応答を端末デバイスへ送信する。
【０１２６】
ダウンリンク受信を行うアイドルモードにある端末デバイスの場合、第1の構成情報は、第1のアクセスネットワークデバイスによって送信されるランダムアクセス応答メッセージまたは競合解消メッセージの中で搬送されてよく、第2の構成情報は、第2のアクセスネットワークデバイスによって送信されるランダムアクセス応答メッセージまたは競合解消メッセージの中で搬送されてよい。ランダムアクセス応答メッセージは、非コンテンションベースのランダムアクセスプロセスにおける第3のメッセージであってよく、またはコンテンションベースのランダムアクセスプロセスにおける第2のメッセージであってもよい。競合解消メッセージは、コンテンションベースのランダムアクセスプロセスにおける第4のメッセージである。
【０１２７】
アップリンク送信を行うアイドルモードにある端末デバイスの場合、第1の構成情報は、第1のアクセスネットワークデバイスによって送信されるページング(paging)メッセージの中で搬送され、第2の構成情報は、第2のアクセスネットワークデバイスによって送信されるページングメッセージの中で搬送される。LTEシステムでは、ネットワーク側がデータをアイドルモードにある端末デバイスへ送信する必要がある場合、モビリティ管理エンティティ(Mobility Management Entity、略してMME)は、端末デバイスがそこに登録するトラッキングエリア(Tracking Area、略してTA)の中のすべてのeNBへページングメッセージを送信する必要があり、次いで、eNBは、エアインターフェース(Uuインターフェース)を介してページングメッセージを送信し、セルの中のアイドルモードにあるすべての端末デバイスがページングメッセージを受信する。この実施形態では、アイドルモードにある端末デバイスが時間周波数空間リソースの伝送方向の構成情報を適時に取得できるように、第1の構成情報または第2の構成情報はページングメッセージの中で搬送される。
【０１２８】
任意選択で、第1のアクセスネットワークデバイスによって送信されるランダムアクセス応答メッセージまたは競合解消メッセージは、第1の構成情報の実効時間情報をさらに含む。第2のアクセスネットワークデバイスによって送信されるランダムアクセス応答メッセージまたは競合解消メッセージは、第2の構成情報の実効時間情報をさらに含む。第1のアクセスネットワークデバイスによって送信されるページングメッセージは、第1の構成情報の実効時間情報をさらに含み、第2のアクセスネットワークデバイスによって送信されるページングメッセージは、第2の構成情報の実効時間情報をさらに含む。
【０１２９】
任意選択で、実効時間情報は、以下の情報、すなわち、効果開始時点および実効持続時間のうちの少なくとも1つを含む。効果開始時点および実効持続時間は、1つの時間周波数空間リソースの伝送方向の構成情報の実効時間を一意に決定し得る。実効時間情報が実効持続時間のみを含むとき、効果開始時点と実効時間情報の通知時間との間の関係は事前指定または事前構成される。
【０１３０】
任意選択で、第1の構成情報は、第1の無線ネットワーク一時識別子(Radio Network Temporary Identity、略してRNTI)を使用することによってスクランブルされ、第2の構成情報は、第2のRNTIを使用することによってスクランブルされる。それに対応して、第1の構成情報を受信すると、端末デバイスは、第1のRNTIを使用することによって第1の構成情報をデスクランブルし、第2の構成情報を受信すると、端末デバイスは、第2のRNTIを使用することによって第2の構成情報をデスクランブルする。
【０１３１】
第1のアクセスネットワークデバイスによって送信される第1の構成情報および第2のアクセスネットワークデバイスによって送信される第2の構成情報を端末デバイスが正確に受信できることを確実にするために、第1の構成情報を送信するために第1のアクセスネットワークデバイスによって使用される第1の送信リソースは、第2の構成情報を送信するために第2のアクセスネットワークデバイスによって使用される第2の送信リソースに直交する。それに対応して、第1のアクセスネットワークデバイスによって送信される第1の構成情報および/または第2のアクセスネットワークデバイスによって送信される第2の構成情報を受信する前に、端末デバイスは、第1の構成情報に対する送信リソース情報を受信しかつ/または第2の構成情報に対する送信リソース情報を受信し、ここで、第1の構成情報に対する送信リソース情報によって示される第1の送信リソースは、第2の構成情報に対する送信リソース情報によって示される第2の送信リソースに直交する。このようにして、端末デバイスは、第1の構成情報に対する送信リソース情報に基づいて第1の送信リソース上で第1の構成情報を受信し、第2の構成情報に対する送信リソース情報に基づいて第2の送信リソース上で第2の構成情報を受信する。第1の送信リソースおよび第2の送信リソースが互いに干渉しないことを確実にするために、第1のアクセスネットワークデバイスおよび第2のアクセスネットワークデバイスは、時間領域リソース、周波数領域リソース、およびコード領域リソースのうちの少なくとも1つにおいて相互に協調する必要があり、その結果、第1の送信リソースおよび第2の送信リソースは互いに干渉せず、それによって、第1の送信リソースおよび第2の送信リソースがタイプ1 PDCCHの受信および復調に関して互いに干渉しないことを確実にする。相互協調は、アクセスネットワークデバイス間のインターフェースに基づいて行われるシグナリング協調、またはOAMを通じて行われる協調であってよい。
【０１３２】
この実施形態では、第1のアクセスネットワークデバイスおよび第2のアクセスネットワークデバイスは、時間領域ユニットの中で、まったく同一の伝送方向を有してよく、または少なくとも1つの時間領域ユニットの中で、異なる伝送方向を有してもよい。
【０１３３】
この実施形態では、検出または復号を行うために端末デバイスによって使用されるすべての情報が、セル間で相互に通知されるか、またはアクセスネットワークデバイスに対して事前構成され、アクセスネットワークデバイスによって端末デバイスに通知されるか、または端末デバイスに対して直接構成される必要があることに留意されたい。検出または復号のために使用される情報は、タイプ1 PDCCHが位置するリソースについての情報、第1の構成情報および第2の構成情報をデスクランブルするために使用されるRNTI情報、ならびに第1のDCIのフォーマット情報を含む。
【０１３４】
ステップS102:端末デバイスは、第1の構成情報および/または第2の構成情報に基づいてデータを伝送する。
【０１３５】
端末デバイスが、第1のアクセスネットワークデバイスによってカバーされるセルによってサービスされる場合、端末デバイスは、第1の構成情報に基づいて、示されたリソースユニットの中でデータを伝送する。端末デバイスが、第2のアクセスネットワークデバイスによってカバーされるセルによってサービスされる場合、端末デバイスは、第2の構成情報に基づいて、示されたリソースユニットの中でデータを伝送する。リソースユニットは、時間領域ユニット、周波数領域ユニット、および空間領域ユニットのうちの1つまたは複数を含む。
【０１３６】
端末デバイスが、第1のアクセスネットワークデバイスによってカバーされるセルによってサービスされる場合、第2のアクセスネットワークデバイスによってカバーされるセルは端末デバイスの隣接セルであり、第1のアクセスネットワークデバイスと第2のアクセスネットワークデバイスとの間で、時間領域ユニット、周波数領域ユニット、および空間領域ユニットのうちの少なくとも1つの中でスロット間干渉が発生することがある。この実施形態では、端末デバイスが、少なくとも1つのリソースユニットの中の第2のアクセスネットワークデバイスの伝送方向の構成情報を受信できるので、端末デバイスは、少なくとも1つのリソースユニットの中の第2のアクセスネットワークデバイスの伝送方向の構成情報に基づいてスロット間干渉を消去または緩和し得る。
【０１３７】
たとえば、端末デバイスは、第1の構成情報および/または第2の構成情報に基づいて、可能電力制御パラメータ、チャネル測定方式、および耐干渉方式のうちのいずれか1つを生成してよい。耐干渉方式は、過負荷インジケータ(Overload Indicator、略してOI)または高干渉インジケータ(High Interference Indicator、略してHII)を含む。詳細には、端末デバイスが、第1のアクセスネットワークデバイスによってカバーされるセルに属するとき、端末デバイスは、第1の構成情報を取得し、言い換えれば、サービングセルの時間周波数空間リソースの伝送方向を取得する。端末デバイスが第2の構成情報をさらに取得する場合、端末デバイスは、隣接セルの時間周波数空間リソースの伝送方向を取得し得る。第1の構成情報および第2の構成情報に基づいて、端末デバイスは、異なるリンク方向の間の干渉、すなわち、リンク間干渉がある1つまたは複数のリソースユニット(時間領域ユニット、周波数領域ユニット、および空間領域ユニットのうちの少なくとも1つを含む)、および同じリンク方向の間の干渉がある1つまたは複数のリソースユニット(時間領域ユニット、周波数領域ユニット、および空間領域ユニットのうちの少なくとも1つを含む)を、推測を通じて知り得る。端末デバイスは、そのような異なるタイプの干渉を克服するために特定の干渉制御方式を使用する。たとえば、同じリンク方向および異なるリンク方向に対して、異なる電力制御パラメータが使用されるか、または同じリンク方向および異なるリンク方向に対して、異なるOI/HII干渉報告が区別されるか、または同じリンク方向および異なるリンク方向に対して、異なるチャネル測定方式が使用される。
【０１３８】
この実施形態では、端末デバイスは、第1のアクセスネットワークデバイスによって送信される第1の構成情報、および/または第2のアクセスネットワークデバイスによって送信される第2の構成情報を受信する。第1の構成情報は、少なくとも1つのリソースユニットの中に第1のアクセスネットワークデバイスの伝送方向の構成情報を含み、第2の構成情報は、少なくとも1つのリソースユニットの中に第2のアクセスデバイスの伝送方向の構成情報を含み、少なくとも1つのリソースユニットは、周波数領域ユニット、時間領域ユニット、および空間領域ユニットのうちの少なくとも1つを含む。端末デバイスは、第1の構成情報および/または第2の構成情報に基づいてデータを伝送する。この方法では、1つのサイクルは、無制限の数量のリソースユニットを含み、より多くのタイプのリソースユニットを含んでよく、異なるタイプおよび異なる数量のリソースユニットが、より多くの分配方式に対応し、言い換えれば、構成モードまたは構造もまた、より多様化される。このようにして、時間周波数空間リソースの伝送方向の構成はよりフレキシブルになり、動的に変化するサービス要件が満たされ得る。
【０１３９】
図6は、実施形態2による、時間周波数リソースの伝送方向を構成するための方法のフローチャートである。図6に示すように、この実施形態において提供される方法は、以下のステップを含んでよい。
【０１４０】
ステップS201:第1のアクセスネットワークデバイスは、第1の構成情報を送信する。
【０１４１】
第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む。
【０１４２】
ステップS202:第1のアクセスネットワークデバイスは、第2のアクセスネットワークデバイスによって送信される第2の構成情報を受信する。
【０１４３】
第2の構成情報は、少なくとも1つのリソースユニットの中に第2のアクセスネットワークデバイスの伝送方向の構成情報を含み、少なくとも1つのリソースユニットは、周波数領域ユニット、時間領域ユニット、および空間領域ユニットのうちの少なくとも1つを含む。第1のアクセスネットワークデバイスおよび第2のアクセスネットワークデバイスは、リソースユニットの中で、まったく同一の伝送方向を有してよく、または少なくとも1つのリソースユニットの中で、異なる伝送方向を有してもよい。
【０１４４】
この実施形態では、周波数領域ユニットは、周波数帯域、サブバンド、およびPRBのうちの少なくとも1つを含む。時間領域ユニットは、スーパーフレーム、フレーム、スロット、サブフレーム、ミニサブフレーム、ミニスロット、OFDMシンボル、および1つのOFDMシンボルよりも短い時間単位のうちの少なくとも1つを含む。空間領域ユニットは、ビームおよびアンテナポートのうちの少なくとも1つを含む。
【０１４５】
任意選択で、第1のアクセスネットワークデバイスが第1の構成情報を送信し、かつ第2のアクセスネットワークデバイスが第2の構成情報を送信する前に、第1のアクセスネットワークデバイスは、第1の構成情報を送信するために使用される第1の送信リソースおよび第2の構成情報を送信するために使用される第2の送信リソースを決定するために、第2のアクセスネットワークデバイスと折衝し、ここで、第1の送信リソースは第2の送信リソースに直交する。次いで、第1のアクセスネットワークデバイスは、第1の送信リソース上で第1の構成情報を送信し、第2のアクセスネットワークデバイスは、第2の送信リソース上で第2の構成情報を送信する。
【０１４６】
任意選択で、第1の構成情報を送信するために第1のアクセスネットワークデバイスによって使用される第1の送信リソース、および第2の構成情報を送信するために第2のアクセスネットワークデバイスによって使用される第2の送信リソースは、OAMを通じて構成される。
【０１４７】
任意選択で、第1の構成情報および第2の構成情報は、タイプ1 PDCCH上で別個に搬送され、タイプ1 PDCCHは、時間周波数空間リソースの伝送方向の構成情報を搬送するために使用される。この実施形態では、タイプ1 PDCCHは、以下のサブフレーム、すなわち、タイプ1アップリンクサブフレーム、タイプ2アップリンクサブフレーム、タイプ1ダウンリンクサブフレーム、およびタイプ2ダウンリンクサブフレームのうちのいずれか1つの中に含まれてよい。
【０１４８】
タイプ1 PDCCHが位置する時間領域リソースは、タイプ2 PDCCHに後続するOFDMシンボルであってよく、またはタイプ1 PDCCHが位置する時間領域リソースは、タイプ2 PDCCHを伝送するためのリソースのうちのいくつかであってよい。この実施形態では、タイプ1 PDCCHは、グループPDCCH、共通PDCCH、またはグループ共通PDCCHとも呼ばれる。グループ(group)は、時間領域リソース、周波数領域リソース、および空間領域リソースのうちの少なくとも1つに対応し得る。グループの特定の意味については、実施形態1における詳細な説明を参照されたい。詳細は本明細書で再び説明しない。
【０１４９】
この実施形態では、タイプ1 PDCCHは第1のDCIを含む。第1のDCIは、本出願において新たに定義されるDCIである。一実装形態では、第1のDCIは、少なくとも1つの情報ブロックを含み、各情報ブロックは、少なくとも1つのリソースユニットの伝送方向の構成情報を含む。第1のDCIは、グループDCI、共通DCI、またはグループ共通DCIとも呼ばれる。グループは、時間領域リソース、周波数領域リソース、および空間領域リソースのうちの少なくとも1つに対応し得る。グループの特定の意味については、実施形態1における詳細な説明を参照されたい。詳細は本明細書で再び説明しない。
【０１５０】
任意選択で、各情報ブロックは、構成情報の実効時間情報をさらに含む。実効時間情報は、対応する構成情報の実効時間を示すために使用される。実効時間情報は、以下の情報、すなわち、効果開始時点および実効持続時間のうちの少なくとも1つを含む。実効時間の期間は、効果開始時点および実効持続時間に基づいて一意に決定されてよい。
【０１５１】
ステップ201または202は任意選択である。言い換えれば、この実施形態は、ステップ202またはステップ201のいずれかを含んでよい。
【０１５２】
本出願では、タイプ1 PDCCHのアクティブ化指示情報は、タイプ1 PDCCHの存在指示情報、またはタイプ1 PDCCHが構成されるべきであるかどうかを示す情報と呼ばれることもある。
【０１５３】
時間周波数空間リソースの伝送方向を構成するための方法は、任意の5Gシステムにおけるリソース構成、たとえば、ニューラジオシステムにおけるリソース構成に拡張されてよく、フレキシブル複信システムに限定されない。時間周波数空間リソースの構成は、任意の5Gシステムに適用されてよい。時間周波数空間リソースの構成は、任意の5G高周波システムに適用されてよい。高周波システムはミリ波システムであってよい。
【０１５４】
図7は、実施形態3による端末デバイスの概略構造図である。図7に示すように、この実施形態における端末デバイスは、
第1のアクセスネットワークデバイスによって送信される第1の構成情報を受信するように構成された受信モジュール11であって、ここで、第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む、受信モジュール11と、
第1の構成情報に基づいてデータを伝送するように構成された伝送モジュール12とを含む。
【０１５５】
任意選択で、受信モジュール11は、第2のアクセスネットワークデバイスによって送信される第2の構成情報を受信するようにさらに構成され、ここで、第2の構成情報は、少なくとも1つのリソースユニットの中に第2のアクセスネットワークデバイスの伝送方向の構成情報を含み、少なくとも1つのリソースユニットは、周波数領域ユニット、時間領域ユニット、および空間領域ユニットのうちの少なくとも1つを含む。
【０１５６】
任意選択で、第1の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【０１５７】
任意選択で、第2の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【０１５８】
任意選択で、タイプ1 PDCCHは、以下のサブフレーム、すなわち、タイプ1アップリンクサブフレーム、タイプ2アップリンクサブフレーム、タイプ1ダウンリンクサブフレーム、およびタイプ2ダウンリンクサブフレームのうちのいずれか1つの中に含まれる。
【０１５９】
タイプ1アップリンクサブフレームは、PDCCH、ガード期間、物理アップリンク共有チャネルPUSCH、および物理アップリンク制御チャネルPUCCHを含む。
【０１６０】
タイプ2アップリンクサブフレームは、PUCCHおよびPUSCHを含む。
【０１６１】
タイプ1ダウンリンクサブフレームは、PDCCH、PDSCH、ガード期間、およびPUCCHを含む。
【０１６２】
タイプ2ダウンリンクサブフレームは、PDCCHおよびPDSCHを含む。
【０１６３】
任意選択で、タイプ1 PDCCHが位置する時間領域リソースは、タイプ2 PDCCHに後続する直交周波数分割多重化OFDMシンボルであるか、またはタイプ1 PDCCHが位置する時間領域リソースは、タイプ2 PDCCHを伝送するために使用されるリソースのうちのいくつかであり、ここで、タイプ2 PDCCHは、端末デバイスのスケジューリング情報を搬送するために使用される。
【０１６４】
任意選択で、受信モジュール11は、タイプ1 PDCCHのものであり第1のアクセスネットワークデバイスによって送信されるアクティブ化指示情報を受信するようにさらに構成される。
【０１６５】
任意選択で、受信モジュール11は、タイプ1 PDCCHのものであり第2のアクセスネットワークデバイスによって送信されるアクティブ化指示情報を受信するようにさらに構成される。
【０１６６】
任意選択で、タイプ1 PDCCHの伝送電力は、タイプ2 PDCCHの伝送電力よりも大きく、タイプ2 PDCCHは、端末デバイスのスケジューリング情報を搬送するために使用される。
【０１６７】
任意選択で、タイプ1 PDCCHは、第1のDCIを含み、第1のDCIは、少なくとも1つのリソースユニットの伝送方向の構成情報、および/または構成情報の実効時間情報を含む。
【０１６８】
任意選択で、第1のDCIは、少なくとも1つの情報ブロックを含み、各情報ブロックは、少なくとも1つのリソースユニットの伝送方向の構成情報、および/または構成情報の実効時間を含む。
【０１６９】
任意選択で、受信モジュール11は、ネットワークデバイスによって送信される上位レイヤ構成シグナリングを受信することであって、ここで、上位レイヤ構成情報は、各情報ブロックの開始リソース位置のパラメータを含む、受信することと、各情報ブロックの開始リソース位置に基づいて、タイプ1 PDCCHから各情報ブロックを読み取ることとを行うようにさらに構成される。
【０１７０】
任意選択で、受信モジュール11は、第1の構成情報の実効時間情報および/または第2の構成情報の実効時間情報を受信するようにさらに構成される。
【０１７１】
任意選択で、第1の構成情報および第1の構成情報の実効時間情報のうちの少なくとも1つは、上位レイヤシグナリングを使用することによって搬送され、第2の構成情報および第2の構成情報の実効時間情報のうちの少なくとも1つは、上位レイヤシグナリングを使用することによって搬送される。
【０１７２】
任意選択で、第1の構成情報は、第1のアクセスネットワークデバイスによって送信されるランダムアクセス応答メッセージまたは競合解消メッセージの中で搬送される。
【０１７３】
任意選択で、第2の構成情報は、第2のアクセスネットワークデバイスによって送信されるランダムアクセス応答メッセージまたは競合解消メッセージの中で搬送される。
【０１７４】
任意選択で、第1のアクセスネットワークデバイスによって送信されるランダムアクセス応答メッセージまたは競合解消メッセージは、第1の構成情報の実効時間情報をさらに含む。
【０１７５】
任意選択で、第2のアクセスネットワークデバイスによって送信されるランダムアクセス応答メッセージまたは競合解消メッセージは、第2の構成情報の実効時間情報をさらに含む。
【０１７６】
任意選択で、第1の構成情報は、第1のアクセスネットワークデバイスによって送信されるページングメッセージの中で搬送される。
【０１７７】
任意選択で、第2の構成情報は、第2のアクセスネットワークデバイスによって送信されるページングメッセージの中で搬送される。
【０１７８】
任意選択で、第1のアクセスネットワークデバイスによって送信されるページングメッセージは、第1の構成情報の実効時間情報をさらに含む。
【０１７９】
任意選択で、第2のアクセスネットワークデバイスによって送信されるページングメッセージは、第2の構成情報の実効時間情報をさらに含む。
【０１８０】
任意選択で、実効時間情報は、以下の情報、すなわち、効果開始時点および実効持続時間のうちの少なくとも1つを含む。
【０１８１】
任意選択で、実効時間情報が実効持続時間のみを含むとき、効果開始時点と実効時間情報の通知時間との間の関係は事前指定または事前構成される。
【０１８２】
任意選択で、周波数領域ユニットは、周波数帯域、サブバンド、および物理リソースブロックPRBのうちの少なくとも1つを含み、時間領域ユニットは、スーパーフレーム、フレーム、スロット、サブフレーム、ミニサブフレーム、ミニスロット、OFDMシンボル、および1つのOFDMシンボルよりも短い時間単位のうちの少なくとも1つを含み、空間領域ユニットは、ビームおよびアンテナポートのうちの少なくとも1つを含み、ここで、ミニサブフレームはサブフレームよりも短く、ミニスロットはスロットよりも短い。
【０１８３】
任意選択で、第1の構成情報は、第1のRNTIを使用することによってスクランブルされ、第2の構成情報は、第2のRNTIを使用することによってスクランブルされる。
【０１８４】
任意選択で、受信モジュール11は、
第1の構成情報に対する送信リソース情報を受信しかつ/または第2の構成情報に対する送信リソース情報を受信するようにさらに構成され、ここで、第1の構成情報に対する送信リソース情報によって示される第1の送信リソースは、第2の構成情報に対する送信リソース情報によって示される第2の送信リソースに直交する。
【０１８５】
任意選択で、第1のアクセスネットワークデバイスおよび第2のアクセスネットワークデバイスは、少なくとも1つのリソースユニットの中で、異なる伝送方向を有する。
【０１８６】
この実施形態における端末デバイスは、実施形態1および実施形態2における端末デバイスによって行われるステップを行うように構成され得る。この実施形態における端末デバイスの特定の実装形態および技術的効果は、実施形態1および実施形態2における端末デバイスのものと類似である。詳細は本明細書で再び説明しない。
【０１８７】
図8は、実施形態4によるアクセスネットワークデバイスの概略構造図である。図8に示すように、この実施形態におけるアクセスネットワークデバイスは、
第1の構成情報を送信するように構成された送信モジュール21であって、ここで、第1の構成情報は、少なくとも1つのリソースユニットの中に第1のアクセスネットワークデバイスの伝送方向の構成情報を含み、少なくとも1つのリソースユニットは、周波数領域ユニット、時間領域ユニット、および空間領域ユニットのうちの少なくとも1つを含む、送信モジュール21と、
第2のアクセスネットワークデバイスによって送信される第2の構成情報を受信するように構成された受信モジュール22であって、ここで、第2の構成情報は、少なくとも1つのリソースユニットの中に第2のアクセスネットワークデバイスの伝送方向の構成情報を含み、少なくとも1つのリソースユニットは、周波数領域ユニット、時間領域ユニット、および空間領域ユニットのうちの少なくとも1つを含む、受信モジュール22とを含む。
【０１８８】
任意選択で、アクセスネットワークデバイスは、第1の構成情報を送信するために使用される第1の送信リソースおよび第2の構成情報を送信するために使用される第2の送信リソースを決定するために、第2のアクセスネットワークデバイスと折衝するように構成された決定モジュールをさらに含み、ここで、第1の送信リソースは第2の送信リソースに直交する。
【０１８９】
任意選択で、第1の構成情報を送信するために第1のアクセスネットワークデバイスによって使用される第1の送信リソース、および第2の構成情報を送信するために第2のアクセスネットワークデバイスによって使用される第2の送信リソースは、オペレーション、アドミニストレーション、およびマネージメントOAMセンターによって構成される。
【０１９０】
任意選択で、第1の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【０１９１】
任意選択で、第2の構成情報は、タイプ1物理ダウンリンク制御チャネルPDCCH上で搬送され、タイプ1 PDCCHは、時間周波数リソースまたは時間周波数空間リソースの伝送方向の構成情報を搬送するために使用される。
【０１９２】
任意選択で、第1の構成情報は、第1のRNTIを使用することによってスクランブルされ、第2の構成情報は、第2のRNTIを使用することによってスクランブルされる。
【０１９３】
この実施形態におけるアクセスネットワークデバイスは、実施形態1および実施形態2におけるアクセスネットワークデバイスによって行われるステップを行うように構成され得る。この実施形態におけるアクセスネットワークデバイスの特定の実装形態および技術的効果は、実施形態1および実施形態2におけるアクセスネットワークデバイスのものと類似である。詳細は本明細書で再び説明しない。
【０１９４】
図9は、実施形態5による端末デバイスの概略構造図である。図9に示すように、端末デバイスは、プロセッサ31、メモリ32、およびトランシーバ33を含む。メモリ32は、命令を記憶するように構成される。トランシーバ33は、他のデバイスと通信するように構成される。プロセッサ31は、メモリ32の中に記憶された命令を実行するように構成され、それにより、端末デバイスが、実施形態1および実施形態2における端末デバイスによって行われるステップを行う。この実施形態における端末デバイスの特定の実装形態および技術的効果は、実施形態1および実施形態2における端末デバイスのものと類似である。詳細は本明細書で再び説明しない。
【０１９５】
図10は、実施形態6によるアクセスネットワークデバイスの概略構造図である。図10に示すように、アクセスネットワークデバイスは、プロセッサ41、メモリ42、およびトランシーバ43を含む。メモリ42は、命令を記憶するように構成される。トランシーバ43は、他のデバイスと通信するように構成される。プロセッサ41は、メモリ42の中に記憶された命令を実行するように構成され、それによって、アクセスネットワークデバイスが、実施形態1および実施形態2におけるアクセスネットワークデバイスによって行われるステップを行う。この実施形態におけるアクセスネットワークデバイスの特定の実装形態および技術的効果は、実施形態1および実施形態2におけるアクセスネットワークデバイスのものと類似である。詳細は本明細書で再び説明しない。
【０１９６】
本出願におけるアクセスネットワークデバイスまたは端末デバイスによって使用されるプロセッサが、中央処理装置(CPU)、汎用プロセッサ、デジタル信号プロセッサ(DSP)、特定用途向け集積回路(ASIC)、フィールドプログラマブルゲートアレイ(FPGA)もしくは他のプログラマブル論理デバイス、トランジスタ論理デバイス、ハードウェア構成要素、またはそれらの任意の組合せであってよいことを理解されたい。プロセッサは、本出願で開示する内容を参照しながら説明した様々な例示的な論理ブロック、モジュール、および回路を実装または実行し得る。代替として、プロセッサは、コンピューティング機能を実施するプロセッサの組合せ、たとえば、1つもしくは複数のマイクロプロセッサの組合せ、またはDSPとマイクロプロセッサとの組合せであってよい。
【０１９７】
本出願におけるバスは、業界標準アーキテクチャ(Industry Standard Architecture、ISA)バス、周辺構成要素相互接続(Peripheral Component、PCI)バス、拡張業界標準アーキテクチャ(Extended Industry Standard Architecture、EISA)バスなどであってよい。バスは、アドレスバス、データバス、制御バスなどに分類され得る。描写を簡単にするために、本出願の添付図面におけるバスは唯一のバスまたは唯一のタイプのバスに限定されない。
【０１９８】
本出願において提供されるいくつかの実施形態では、開示する装置および方法が他の方式で実施され得ることを理解されたい。たとえば、説明した装置実施形態は一例にすぎない。たとえば、ユニット分割は論理機能分割にすぎず、実際の実装では他の分割であってよい。たとえば、複数のユニットまたは構成要素が、組み合わせられてよく、もしくは他のシステムの中に統合されてもよく、またはいくつかの特徴が無視されてよく、もしくは行われなくてもよい。加えて、表示または説明した相互結合もしくは直接結合または通信接続は、いくつかのインターフェースを使用することによって実装され得る。装置またはユニットの間の間接結合または通信接続は、電子形態、機械形態、または他の形態で実装され得る。
【０１９９】
別個の部分として説明したユニットは物理的に別個であってもなくてもよく、ユニットとして表示した部分は、物理ユニットであってもなくてもよく、1つの場所に配置されてよく、または複数のネットワークユニット上で分散されてもよい。ユニットの一部または全部は、本実施形態の解決策の目的を達成するための実際の要件に基づいて選択されてよい。
【０２００】
加えて、本出願の実施形態における機能ユニットが1つの処理ユニットの中に統合されてよく、もしくはユニットの各々が物理的に単独で存在してよく、または2つ以上のユニットが1つのユニットの中に統合される。統合ユニットは、ハードウェアの形態で実装されてよく、またはソフトウェア機能ユニットに加えてハードウェアの形態で実装されてもよい。
【０２０１】
上記の統合ユニットがソフトウェア機能ユニットの形態で実装されるとき、統合ユニットはコンピュータ可読記憶媒体の中に記憶され得る。ソフトウェア機能ユニットは、記憶媒体の中に記憶され、本出願の実施形態で説明した方法のステップのうちのいくつかを行うようにコンピュータデバイス(パーソナルコンピュータ、サーバ、またはネットワークデバイスであってよい)またはプロセッサ(英語:processor)に命令するための、いくつかの命令を含む。上記の記憶媒体は、USBフラッシュドライブ、リムーバブルハードディスク、読取り専用メモリ(Read-Only Memory、略してROM)、ランダムアクセスメモリ(Random Access Memory、略してRAM)、磁気ディスク、または光ディスクなどの、プログラムコードを記憶できる任意の媒体を含む。
【符号の説明】
【０２０２】
11  受信モジュール
12  伝送モジュール
21  送信モジュール
22  受信モジュール
31  プロセッサ
32  メモリ
33  トランシーバ
41  プロセッサ
42  メモリ
43  トランシーバ
【図１】
0006891296.tif 000004
【図２】
0006891296.tif 000005
【図３】
0006891296.tif 000006
【図４】
0006891296.tif 000007
【図５】
0006891296.tif 000008
【図６】
0006891296.tif 000009
【図７】
0006891296.tif 000010
【図８】
0006891296.tif 000011
【図９】
0006891296.tif 000012
【図１０】
0006891296.tif 000013